【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】  低級アルキルアルコール、エーテル、低級アルキルアルコール誘導体、またはそれらの混合物を含んでなる反応体から、エステル、カルボン酸、またはそれらの混合物を製造するための方法であって、前記方法が、上記反応体および一酸化炭素をカルボニル化条件下で触媒と接触させることを含み、前記触媒が、炭化ポリスルホン化ジビニルベンゼン−スチレンコポリマーマトリックスで支持されている、鉄、コバルト、ニッケル、ルテニウム、ロジウム、パラジウム、オスミウム、イリジウム、白金、錫、およびそれらの混合物からなる群より選ばれる金属を触媒的に有効な量で含んでいる方法。
【請求項２】  前記反応体が、１〜10個の炭素原子を有する低級アルコール、２〜６個の炭素原子を有するアルカンポリオール、３〜20個の炭素原子を有するアルキルアルキレンポリエーテル、および３〜10個の炭素原子を有するアルコキシアルカノール、並びにそれらの混合物からなる群より選ばれる、請求項１に記載の方法。
【請求項３】  前記反応体が、メタノール、酢酸メチル、ジメチルエーテル、およびそれらの混合物からなる群より選ばれる、請求項１に記載の方法。
【請求項４】  製造される前記エステルおよびカルボン酸が、酢酸、酢酸メチル、またはそれらの混合物を含む、請求項１に記載の方法。
【請求項５】  前記反応体を、塩素、臭素、沃素、およびそれらの組み合わせからなる群より選ばれるハロゲン化物化合物と同時に接触させることをさらに含む、請求項１に記載の方法。
【請求項６】  前記ハロゲン化物が、沃化水素、気体沃化水素酸、並びに沃化メチル、沃化エチル、1-ヨードプロパン、2-ヨードブタン、1-ヨードブタン、沃化ベンジルからなる群より選ばれる、12個以下の炭素原子を有する沃化アルキルおよび沃化アリール、臭化水素、臭化メチル、およびそれらの混合物からなる群より選ばれる、請求項５に記載の方法。
【請求項７】  前記ハロゲン化物が、沃化水素、沃化メチル、臭化水素、臭化メチル、およびそれらの混合物からなる群より選ばれる、請求項６に記載の方法。
【請求項８】  前記カルボニル化条件が、100℃〜 350℃の温度および１〜50 bar（絶対圧力）の圧力を有する気相である、請求項１に記載の方法。
【請求項９】  前記触媒が、前記炭化ポリスルホン化ジビニルベンゼン−スチレンコポリマーマトリックスで支持されている前記金属を0.01質量％〜10質量％有する、請求項１に記載の方法。
【請求項１０】  前記触媒が、前記炭化ポリスルホン化ジビニルベンゼン−スチレンコポリマーマトリックスで支持されている金属を0.1質量％〜２質量％有する、請求項９に記載の方法。
【請求項１１】  前記触媒が、アルカリ、アルカリ土類、ランタニド、金、水銀、並びにＶ、Ｎｂ、Ｔａ、Ｔｉ、Ｚｒ、Ｈｆ、Ｍｏ、Ｗ、Ｒｅ、およびそれらの混合物からなる群より選ばれる遷移金属からなる群より選ばれる第２の金属をさらに含む、請求項１に記載の方法。
【請求項１２】  酢酸、酢酸メチル、またはそれらの混合物を調製するための気相カルボニル化法であって、
ａ）メタノールおよび一酸化炭素を含んでなる気体混合物を、炭化ポリスルホン化ジビニルベンゼン−スチレンコポリマーマトリックスで支持されている、鉄、コバルト、ニッケル、ルテニウム、ロジウム、パラジウム、オスミウム、イリジウム、白金、錫、およびそれらの混合物からなる群より選ばれる金属を触媒的に有効な量で含んでなる触媒と接触させる工程、並びに
ｂ）酢酸、酢酸メチル、またはそれらの混合物を上記気体生成物から回収する工程、
を含む方法。
【請求項１３】  前記反応体を、沃化水素、気体沃化水素酸、並びに沃化メチル、沃化エチル、1-ヨードプロパン、2-ヨードブタン、1-ヨードブタン、沃化ベンジルからなる群より選ばれる、12個以下の炭素原子を有する沃化アルキルおよび沃化アリール、臭化水素、臭化メチル、およびそれらの混合物からなる群より選ばれるハロゲン化物化合物と同時に接触させることをさらに含む、請求項１２に記載の方法。
【請求項１４】  前記ハロゲン化物が、沃化水素、沃化メチル、臭化水素、臭化メチル、およびそれらの混合物からなる群より選ばれる、請求項１３に記載の方法。
【請求項１５】  前記触媒が、アルカリ、アルカリ土類、ランタニド、金、水銀、並びにＶ、Ｎｂ、Ｔａ、Ｔｉ、Ｚｒ、Ｈｆ、Ｍｏ、Ｗ、Ｒｅ、およびそれらの混合物からなる群より選ばれる遷移金属からなる群より選ばれる第２の金属をさらに含み、前記炭化ポリスルホン化ジビニルベンゼン−スチレンコポリマーマトリックスで支持されている前記金属および第２の金属の量が、独立に、触媒の全質量に対して、0.01質量％〜10質量％の範囲にわたる、請求項１２に記載の方法。
【請求項１６】  前記炭化ポリスルホン化ジビニルベンゼン−スチレンコポリマーマトリックスで支持されている前記金属の量が、独立に、0.05質量％〜５質量％の範囲にわたる、請求項１５に記載の方法。
【請求項１７】  前記炭化ポリスルホン化ジビニルベンゼン−スチレンコポリマーマトリックスで支持されている前記金属の量が、独立に、より好ましい各々の成分の0.1質量％〜２質量％の範囲にわたる、請求項１５に記載の方法。
【請求項１８】  酢酸、酢酸メチル、またはそれらの混合物を調製するための気相カルボニル化法であって、
ａ）メタノール、一酸化炭素、およびハロゲン化物を含んでなる気体混合物を、炭化ポリスルホン化ジビニルベンゼン−スチレンコポリマーマトリックスで支持されている、鉄、コバルト、ニッケル、ルテニウム、ロジウム、パラジウム、オスミウム、イリジウム、白金、錫、およびそれらの混合物からなる群より選ばれる金属を、触媒の全質量に対して、0.01質量％〜10質量％の量で含んでなる触媒と接触させる工程、並びに
ｂ）酢酸、酢酸メチル、またはそれらの混合物を上記気体生成物から回収する工程、
を含む方法。
【請求項１９】  前記触媒が、アルカリ、アルカリ土類、ランタニド、金、水銀、並びにＶ、Ｎｂ、Ｔａ、Ｔｉ、Ｚｒ、Ｈｆ、Ｍｏ、Ｗ、Ｒｅ、およびそれらの混合物からなる群より選ばれる遷移金属からなる群より選ばれる第２の金属をさらに含み、前記炭化ポリスルホン化ジビニルベンゼン−スチレンコポリマーマトリックスで支持されている前記金属および第２の金属の量が、独立に、0.05質量％〜５質量％の範囲にわたる、請求項１８に記載の方法。
【請求項２０】  前記ハロゲン化物が、沃素、沃化水素、沃化メチル、臭素、臭化水素、臭化メチル、およびそれらの混合物からなる群より選ばれる、請求項１８に記載の方法。
【請求項２１】  前記第２の金属が、ランタン、セリウム、プラセオジム、ネオジム、それらのそれぞれの塩、およびそれらの混合物からなる群より選ばれる、請求項１９に記載の方法。
【手続補正２】
【補正対象書類名】明細書
【補正対象項目名】０００１
【補正方法】変更
【補正の内容】
【０００１】
本発明の分野
本発明は、アルキルアルコール、エーテル、またはエステル−アルコール混合物のカルボニル化により、それらに対応するエステルおよびカルボン酸を製造するための方法に関する。より具体的には、本発明は、Ｆｅ、Ｃｏ、Ｎｉ、Ｒｕ、Ｒｈ、Ｐｄ、Ｏｓ、Ｉｒ、Ｐｔ、およびＳｎから選ばれる活性金属種を有する触媒であって、活性金属種が炭化ポリスルホン化ジビニルベンゼン−スチレンコポリマー樹脂上に支持されている触媒を使用するメタノールまたはメタノール供給源のカルボニル化によって、酢酸、酢酸メチル、またはそれらの混合物を製造するための方法に関する。本発明の特に好ましい態様は、酢酸、酢酸メチル、またはそれらの混合物の製造のための気相カルボニル化法において使用される前述の触媒である。
【手続補正３】
【補正対象書類名】明細書
【補正対象項目名】００１８
【補正方法】変更
【補正の内容】
【００１８】
ゆえに、活性炭上に支持されている金属触媒に付随する高い活性を保持しつつ、より高い構造的結着性および再生可能性を有する、支持されている金属触媒を利用する、カルボン酸またはそれらのエステルの製造のためのカルボニル化法に対する要求が存在する。
【手続補正４】
【補正対象書類名】明細書
【補正対象項目名】００２０
【補正方法】変更
【補正の内容】
【００２０】
本発明の目的は、エステルまたはカルボン酸を製造するための方法を提供することである。より詳細には、本発明の目的は、低級アルキルアルコール、エーテル、低級アルコール誘導体供給源から、酢酸、酢酸メチル、またはそれらの混合物を製造するためのカルボニル化法を提供することであり、好ましくは、反応体はメタノールである。